(57)【特許請求の範囲】
【請求項１】
底面に第一の係合部が形成された無線通信中継局本体と、第一の係合部と係合する第二の係合部が形成されて第一、第二の係合部が係合することによって無線通信中継局本体の底面に取り付けられる台座と、を備え、台座の第二の係合部以外の箇所に壁面へ取り付け可能な壁面取り付け部が設けられ、無線通信中継局本体の底面以外の一側面に第二の係合部と係合する第三の係合部が形成され、第二の係合部に第一の係合部又は第三の係合部のいずれかを選択的に係合できるようになしたことを特徴とする無線通信中継局装置。
【請求項２】
台座が扁平な板状であり、無線通信中継局本体が上下方向に長い直方体状であり、無線通信中継局装置を壁面に取り付ける場合は、台座は扁平面が壁面に接するように取り付けられ、無線通信中継局本体は下面が底面になって一側面が台座の扁平面に接するように取り付けられ、無線通信中継局装置を水平面に置く場合は、台座は扁平面が水平面に接するように置かれ、無線通信中継局本体は下面が底面になりこの底面が台座の扁平面に接するように取り付けられる、ことを特徴とする請求項１記載の無線通信中継局装置。
【請求項３】
第一の係合部は、無線通信中継局本体の底面よりも外部にはみ出さず無線通信中継局本体の内側に形成されていることを特徴とする請求項１又は２記載の無線通信中継局装置。
【請求項４】
壁面取り付け部は、螺子が挿通可能な貫通孔であることを特徴とする請求項１〜３のいずれか１項記載の無線通信中継局装置。
【請求項５】
壁面取り付け部は貫通孔として第一の貫通孔と第二の貫通孔とを備え、第二の貫通孔は第一の貫通孔から第二の貫通孔に向かう方向に対して直交する方向に長く伸びた長孔であることを特徴とする請求項４記載の無線通信中継局装置。
【発明の詳細な説明】
【技術分野】
【０００１】
本発明は、底面に第一の係合部を形成された無線通信中継局本体と、第一の係合部と係合する第二の係合部が形成されて第一、第二の係合部が係合することによって無線通信中継局本体の底面に取り付けられる台座と、を備える室内向け無線通信中継局装置に関するものである。
【背景技術】
【０００２】
従来から、特開２００１−３３９２２０号公報（特許文献１）に示されるように、無線通信中継局装置は知られている。この無線通信中継局装置は図６に示すように、アンテナ１００を額縁の裏、中または周辺に収納し、一体化したものに構成し、それを壁面等に設置することで、額縁はアンテナカバーの役割を果たし、かつ設置する場所では額縁として用いることでアンテナ１００の存在を感じさせず、アンテナ１００によって設置場所の景観を損なわないようにしている。この無線通信中継局装置は室内向けであり、壁面に取り付けられた状態で無線通信を中継する。これは、本来ならば室内の好きな場所に置くことができるものの、床面に置くことでの足蹴りなどの破損を避けるために、壁面に取り付けるものと考えられる。
【０００３】
一方、一般的な無線通信中継局装置では受信性能を損ねないようにするためにアンテナを可動式構造のものにして指向性を壁面に邪魔されないようにする工夫が要る。このような無線通信中継局装置は、水平面に置いて使用することを前提に設計されているので、水平面に置いた状態で安定させるために台座を使って設置面に安定して置けるようになっている。
【特許文献１】特開２００１−３３９２２０号公報
【発明の開示】
【発明が解決しようとする課題】
【０００４】
しかしながら、特開２００１−３３９２２０号公報に示される上記従来例の無線通信中継局装置にあっては、壁面取り付け状態で数日間使用してみた結果、壁面反射の影響が無視できない場合であっても、水平面置きが出来ないという問題がある。
【０００５】
又、上記の一般的な無線通信中継局装置を壁面にも取り付けられるようにすることが考えられるが、仮に壁面に取り付け可能にしたとしても、台座が余って保管場所に困る。その結果、台座が紛失してしまう恐れがあり、水平面に安定して置けず、肝心の無線中継能力を充分に発揮できないおそれもある。
【０００６】
本発明は上記背景技術に鑑みて発明されたものであり、その課題は、壁付けでも水平面置きでもどちらでも使え、しかも台座の紛失を起こさない無線通信中継局装置を提供することである。
【課題を解決するための手段】
【０００７】
上記課題を解決するために、本願請求項１記載の発明では、底面に第一の係合部が形成された無線通信中継局本体と、第一の係合部と係合する第二の係合部が形成されて第一、第二の係合部が係合することによって無線通信中継局本体の底面に取り付けられる台座と、を備え、台座の第二の係合部以外の箇所に壁面へ取り付け可能な壁面取り付け部が設けられ、無線通信中継局本体の底面以外の一側面に第二の係合部と係合する第三の係合部が形成され、第二の係合部に第一の係合部又は第三の係合部のいずれかを選択的に係合できるようになっている。
【０００８】
又、本願請求項２記載の発明では、上記請求項１記載の無線通信中継局装置において、  台座が扁平な板状であり、無線通信中継局本体が上下方向に長い直方体状であり、無線通信中継局装置を壁面に取り付ける場合は、台座は扁平面が壁面に接するように取り付けられ、無線通信中継局本体は下面が底面になって一側面が台座の扁平面に接するように取り付けられ、無線通信中継局装置を水平面に置く場合は、台座は扁平面が水平面に接するように置かれ、無線通信中継局本体は下面が底面になりこの底面が台座の扁平面に接するように取り付けられることを特徴としている。
【０００９】
又、本願請求項３記載の発明では、上記請求項１又は２記載の無線通信中継局装置において、第一の係合部は、無線通信中継局本体の底面よりも外部にはみ出さず無線通信中継局本体の内側に形成されていることを特徴としている。
【００１０】
又、本願請求項４記載の発明では、上記請求項１〜３のいずれか１項無線通信中継局装置において、壁面取り付け部は、螺子が挿通可能な貫通孔であることを特徴としている。
【００１１】
又、本願請求項５記載の発明では、上記請求項４記載の無線通信中継局装置において、  壁面取り付け部は貫通孔として第一の貫通孔と第二の貫通孔とを備え、第二の貫通孔は第一の貫通孔から第二の貫通孔に向かう方向に対して直交する方向に長く伸びた長孔であることを特徴としている。
【発明の効果】
【００１２】
本願請求項１記載の発明の無線通信中継局装置においては、第二の係合部に第一の係合部又は第三の係合部のいずれかが選択的に係合できるので、台座は水平面置き以外にも壁面取り付け部によって壁面へ取り付け可能となり、しかも台座の第二の係合部と無線通信中継局本体の第三の係合部とが係合することによって無線通信中継局本体が台座を介して壁面に取り付けられることになる。よって、壁付けでも水平面置きでもどちらでも使え、しかも台座の紛失を起こさないようにすることができる。
【００１３】
本願請求項２記載の発明の無線通信中継局装置においては、特に、無線通信中継局装置を壁面に取り付ける場合は、水平面と台座の扁平面と無線通信中継局本体の側面との各接触面が大きいので、壁付時でも無線通信中継局装置を安定して保持することができる。
【００１４】
本願請求項３記載の発明の無線通信中継局装置においては、特に、第一の係合部は無線通信中継局本体の底面よりも外部にはみ出さず無線通信中継局本体の内側に形成されているので、無線通信中継局本体だけでも床面など水平面にしばらく立設させておくことができ、台座を壁面に取り付けたりまた壁面から取り外したりする数分の間、無線通信中継局本体が重心バランスを崩さないので倒れず、従って台座無しで立設させている間も無線中継機能を停止させずに済む。
【００１５】
本願請求項４記載の発明の無線通信中継局装置においては、特に、壁面取り付け部は、螺子が挿通可能な貫通孔であるので、壁面取り付け部を従来既存の螺子止め技術によって容易に実現できる。
【００１６】
本願請求項５記載の発明の無線通信中継局装置においては、特に、壁面取り付け部は貫通孔として第一の貫通孔と第二の貫通孔とを備え、第二の貫通孔は第一の貫通孔から第二の貫通孔に向かう方向に対して直交する方向に長く伸びた長孔であるので、第一の貫通孔で螺子止めした後に台座が壁面に対してずれてしまい、壁面に先に開けた貫通孔との位置が少々合わなくなった場合であっても、第二の貫通孔が長孔なので余裕をもって第二の貫通孔と壁面の貫通孔とに螺子を挿通できる。
【発明を実施するための最良の形態】
【００１７】
以下、本発明を添付図面に示す実施形態に基づいて説明する。
【００１８】
図１〜５は、本願請求項１〜５全てに対応した一実施形態である無線通信中継局装置１を示している。
【００１９】
この無線通信中継局装置１は、底面２に第一の係合部３が形成された無線通信中継局本体４と、第一の係合部３と係合する第二の係合部５が形成されて第一、第二の係合部（３、５）が係合することによって無線通信中継局本体４の底面２に取り付けられる台座６と、を備え、台座６の第二の係合部５以外の箇所に壁面３５へ取り付け可能な壁面取り付け部７が設けられ、無線通信中継局本体４の底面２以外の一側面に第二の係合部５と係合する第三の係合部８が形成され、第二の係合部５に第一の係合部３又は第三の係合部８のいずれかを選択的に係合できる。
【００２０】
台座６は扁平な板状であり、無線通信中継局本体４は上下方向に長い直方体状であり、無線通信中継局装置１を壁面３５に取り付ける場合は、台座６は扁平面が壁面３５に接するように取り付けられ、無線通信中継局本体４は下面が底面２になって一側面が台座６の扁平面に接するように取り付けられ、無線通信中継局装置１を水平面に置く場合は、台座６は扁平面が水平面に接するように置かれ、無線通信中継局本体４は下面が底面２になりこの底面２が台座６の扁平面に接するように取り付けられる。
【００２１】
第一の係合部３は、無線通信中継局本体４の底面２よりも外部にはみ出さず無線通信中継局本体４の内側に形成されている。
【００２２】
壁面取り付け部７は、螺子が挿通可能な貫通孔である。
【００２３】
壁面取り付け部７は貫通孔として第一の貫通孔９と第二の貫通孔１０とを備え、第二の貫通孔１０は第一の貫通孔９から第二の貫通孔１０に向かう方向に対して直交する方向に長く伸びた長孔である。
【００２４】
以下、この実施形態の無線通信中継局装置１をより具体的詳細に説明する。
【００２５】
この無線通信中継局装置１は室内向けのものであり、ＡＣアダプタからＤＣ電源を供給されて駆動する。そして、駆動すると、ＰＨＳの電波を受け取って内外で電波を中継し、屋内でも感度を高めることができる。
【００２６】
図１〜３に示ように、この無線通信中継局装置１は、底面２に第一の係合部３が形成されると共に背面２２に第三の係合部８が形成された無線通信中継局本体４と、第一の係合部３か第三の係合部８かのいずれかに係合する第二の係合部５が形成された台座６とから構成される。
【００２７】
無線通信中継局本体４は、プラスチック等からなる本体ハウジング１２と、本体ハウジング１２の側面に設けられたプラスチック等からなるアンテナ１１とを備える。
【００２８】
図３に示すように、本体ハウジング１２は上下方向に長い略直方体状である。左右面１４は曲面を形成し、上面１３、前面１５、背面２２、底面２は平面を形成し、底面２を除いた各面の角は丸みを帯びている。これにより外観が良くなり、更に使用者が本体ハウジング１２部を握りやすくなり、更に誤って足蹴り等して怪我をする恐れを軽減できる。
【００２９】
底面２には、外周を囲む底面枠１６部分を残して第一の凹部１７が形成されている。底面２長手方向一端側にはＡＣアダプタのプラグを差し込むためのジャックコネクタ１８が設けられている。他端側には第一の凹部１７の前後壁２１からＡＣアダプタのケーブル１９を支持するための支え柱２０が内側に突出している。又、第一の凹部１７の前後壁２１には第二の係合部５を係り止めるための第一の係合部３が設けられている。この第一の係合部３は爪片係止形状であり、底面２よりも外部にはみ出さないように第一の凹部１７の前後壁２１からそれぞれ内側に突出している。
【００３０】
背面２２上部には、上面１３方向に徐々に凹んでいる第二の凹部２３が左右対称に２箇所形成されている。この第二の凹部２３には、第二の係合部５を係り止めるための爪片係止形状の第三の係合部８が形成されている。
【００３１】
背面２２下部には第三の凹部２４が形成され、図示されていないが、この第三の凹部２４にはコネクタを接続するための接続孔が設けられている。第三の凹部２４を覆うために背面２２側下部の内部に設けられた水平軸を中心に回動する開閉板２５が設けられている。この開閉板２５が閉じている時は、開閉板２５と本体ハウジング１２の背面２２は略面一になる。前面１５にはＬＥＤ２６が設けられている。このＬＥＤ２６の表示状況により電源が入っているか否か、通信をしているか否か、電波の強さのレベル、を確認する。
【００３２】
アンテナ１１は棒状であり、先端が丸みを帯びている。このアンテナ１１は本体ハウジング１２の左右面１４に設けられた水平軸２７を中心に前面１５側に１８０度回動することができる。アンテナ１１と水平軸２７の結合部２８には結合部２８を保護するためのプラスチック等からなるケース２９が設けられている。
【００３３】
図４に示すように、台座６は小判型の扁平な板状であり、プラスチック等からなる。この台座６の内方にはＡＣアダプタのケーブル１９を通すための略直方形状の開口部３０が設けられている。この台座６の裏面３１には台座６の外周を囲むように枠３２が設けられ、図示されていないが、枠３２にはＡＣアダプタのケーブル１９を通すための凹部が設けられている。又、図示されていないが、台座６の裏面３１の四方には台座６を安定させるための樹脂等からなる滑り止めが設けられている。
【００３４】
台座６の中心部には第一の係合部３又は第三の係合部８のいずれかに係合するための第二の係合部５が開口部３０を挟んで対称になるように２つ形成されている。この第二の係合部５は、台座６の表面３３側の外へ突出する係止爪片であり、徐々に凸みながら外部の一方へ向けて突出する片向き突出形状に形成されてある。この形状により、上面１３方向に徐々に凹んでいる第二の凹部２３に対して、滑らかに嵌合することができる。
【００３５】
台座６には壁面取り付け部７として、長手方向一端付近に第一の貫通孔９が設けられ、他端付近に短手方向に長く伸びた第二の貫通孔１０が設けられ、第一の貫通孔９と開口部３０との間に長手方向に長く伸びた第三の貫通孔３４が設けられている。台座６はこれらの貫通孔と壁面３５に設けた孔とに螺子を挿通することで壁面３５に取り付けられる。なお、壁面３５から突出したＬ字型の金具等に貫通孔を引っ掛けるようにして取り付けてもよい。又、壁面取り付け部７は、粘着シール等でもよい。
【００３６】
図２は本実施形態の無線通信中継局装置１を壁面３５に取り付けた時の状態を示す。本実施形態の無線通信中継局装置１を壁面３５に取り付けるにはまず台座６を壁面３５に取り付け、そしてその台座６に無線通信中継局本体４を取り付ける。台座６は第一〜第三の貫通孔（９、１０、３４）とそれぞれの貫通孔に対応させて壁面３５に予め設けた孔とに螺子を挿通して壁面３５に取り付ける。無線通信中継局本体４は第二の係合部５を第二の凹部２３に挿入させるようにして取り付ける。これにより、第二の係合部５が第二の凹部２３に設けた第三の係合部８に係り止められる。無線通信中継局本体４を台座６に取り付けた後は、アンテナ１１を回動させて、電波受信の調整を行うことができる。なお、図２のように壁面３５に取り付ける状態においても、ＡＣアダプタのケーブル１９をジャックコネクタ１８と接続した状態で壁面３５の電源コンセント（不図示）から電源供給すればよく、ＡＣアダプタのケーブル１９を第一の貫通孔９又は第二の貫通孔１０又は第三の貫通孔３４のいすれかに挿通させたりする手間は必要無い。
【００３７】
図１は本実施形態の無線通信中継局装置１を床等の水平面に置いた時の状態を示す。本実施形態の無線通信中継局装置１を水平面に置く場合は、無線通信中継局本体４の底面２に台座６を取り付けて、その後に置く。台座６は、第二の係合部５を第一の凹部１７に押し込んでスライドさせることで無線通信中継局本体４に取り付けられる。これにより、第二の係合部５が第一の凹部１７に設けた第一の係合部３で係り止められる。無線通信中継局本体４を台座６に取り付けて水平面に置いた後は、アンテナ１１を回動させて、電波受信の調整を行うことができる。
【００３８】
第一〜第三の係合部（３、５、８）は爪片係止形状であるので、取り外す際には一定の力を加えなければならない。よって、無線通信中継局本体４が容易に台座６から外れたりすることはないので安定して保持される。
【００３９】
図５は本実施形態の無線通信中継局装置１の無線通信中継局本体４を水平面に直接置いたときの状態を示す。通常、本実施形態の無線通信中継局装置１を設置する際には、上記のように台座６を無線通信中継局本体４に取り付ける。しかし、台座６を壁面３５に取り付けたりまた壁面３５から取り外したりする数分の間は、このように無線通信中継局本体４のみを立設させることとなる。ＡＣアダプタのケーブル１９が底面２からはみ出ることになるものの、底面２が丸みを帯びていないため、倒れずに立ち続けることができる。このとき、ＡＣアダプタのケーブル１９を支え柱２０に嵌め込んでいない状態を図５（ａ）で図示したが、ＡＣアダプタのケーブル１９を支え柱２０に嵌め込んだ状態で使用してもかまわない。
【００４０】
したがって、第二の係合部５に第一の係合部３又は第三の係合部８のいずれかが選択的に係合できるので、台座６は水平面置き以外にも壁面取り付け部７によって壁面３５へ取り付け可能となり、しかも台座６の第二の係合部５と無線通信中継局本体４の第三の係合部８とが係合することによって無線通信中継局本体４が台座６を介して壁面３５に取り付けられることになる。よって、壁付けでも水平面置きでもどちらでも使え、しかも台座６の紛失を起こさないようにすることができる。
【００４１】
更に、無線通信中継局装置１を壁面３５に取り付ける場合は、壁面３５と台座６の表裏面（３１、３３）と無線通信中継局本体４の背面２２との各接触面が大きいので、壁付時でも無線通信中継局装置１を安定して保持することができる。
【００４２】
更に、第一の係合部３は無線通信中継局本体４の底面２よりも外部にはみ出さず無線通信中継局本体４の内側に形成されているので、無線通信中継局本体４だけでも床面等の水平面にしばらく立設させておくことができる。これにより、台座６を壁面３５に取り付けたりまた壁面３５から取り外したりする数分の間、無線通信中継局本体４が重心バランスを崩さないので倒れず、台座６無しで立設させている間も無線中継機能を停止させずに済む。
【００４３】
更に、壁面取り付け部７は、螺子が挿通可能な貫通孔であるので、壁面取り付け部７を従来既存の螺子止め技術によって容易に実現できる。
【００４４】
更に、壁面取り付け部７は貫通孔として第一の貫通孔９と第二の貫通孔１０と第三の貫通孔３４を備え、第二の貫通孔１０は短手方向に長く伸びた長孔であり、第三の貫通孔３４は長手方向に長く伸びた長孔であるので、第一の貫通孔９で螺子止めした後に台座６が壁面３５に対してずれてしまい、壁面３５に先に開けた貫通孔との位置が少々合わなくなった場合であっても、第二の貫通孔１０及び第三の貫通孔３４は長孔なので余裕をもって壁面３５の貫通孔に螺子を挿通できる。
【図面の簡単な説明】
【００４５】
【図１】本願発明の一実施形態である無線通信中継局装置を水平面に置いた状態を示す斜視図。
【図２】同無線通信中継局装置を壁面に設置した状態を示す正面図。
【図３】（ａ）は同無線通信中継局装置の無線通信中継局本体の斜視図、（ｂ）は同無線通信中継局装置の無線通信中継局本体の断面図。
【図４】（ａ）は同無線通信中継局装置の台座の正面図、（ｂ）は同無線通信中継局装置の台座の側面図。
【図５】（ａ）は同無線通信中継局装置の無線通信中継局本体を水平面に直接おいた状態を示す底面図、（ｂ）は同無線通信中継局装置の無線通信中継局本体を水平面に直接おいた状態を示す側面図
【図６】従来例である無線通信中継局装置を示す分解平面図。
【符号の説明】
【００４６】
１  無線通信中継局装置
２  底面
３  第一の係合部
４  無線通信中継局本体
５  第二の係合部
６  台座
７  壁面取り付け部
８  第三の係合部
９  第一の貫通孔
１０  第二の貫通孔
１１  アンテナ
１２  本体ハウジング
１３  上面
１４  左右面
１５  前面
１６  底面枠
１７  第一の凹部
１８  ジャックコネクタ
１９  ＡＣアダプタのケーブル
２０  支え柱
２１  第一の凹部の前後壁
２２  背面
２３  第二の凹部
２４  第三の凹部
２５  開閉板
２６  ＬＥＤ
２７  水平軸
２８  結合部
２９  ケース
３０  開口部
３１  台座裏面
３２  台座枠
３３  台座表面
３４  第三の貫通孔
３５  壁面
【図１】
0004626545.tif 000002
【図２】
0004626545.tif 000003
【図３】
0004626545.tif 000004
【図４】
0004626545.tif 000005
【図５】
0004626545.tif 000006
【図６】
0004626545.tif 000007